(57)【要約】【課題】例示した背景技術と違い、道路・壁・ガラス窓・屋外・フロントガラスその他に貼付・設置することで簡単に鳥獣忌避・被害対策、防虫対策ができる。【解決手段】鳥獣忌避・被害対策、防虫対策させるために、カラス・ハト・ハチ等の動物・鳥・昆虫・生物等の、天敵である猛禽類生物や動物・鳥・昆虫・生物の、剥製・標本・ぬいぐるみ・模型・絵画・だまし絵等対象物と共に、陰影や猛禽類の眼や図形や絵・デザインを一緒に、写真に撮り、それによって、疑似立体視させ、鳥獣忌避・被害対策、防虫対策させた平面画像立体視写真・製品・シート・部材を使う。【選択図】図２
2019213516.tif 000002
【特許請求の範囲】
【請求項１】
鳥獣忌避・被害対策、防虫対策させるために、
カラス・ハト・ハチ等の動物・鳥・昆虫・生物等の、
天敵である猛禽類生物や動物・鳥・昆虫・生物の、
剥製・標本・ぬいぐるみ・模型・絵画・だまし絵等対象物と共に、
陰影や猛禽類の眼や図形や絵・デザインを一緒に、
写真に撮り、
それによって、疑似立体視させ、
鳥獣忌避・被害対策、防虫対策させた
平面画像立体視写真・製品・シート・部材。
【請求項２】
請求項１に、
より疑似立体視・鳥獣忌避・被害対策、防虫対策できるように、
更なる猛禽類の眼や忌避させるデザイン・立体視作用効果を加味した、
平面画像立体視写真・製品・シート・部材。
【請求項３】
鳥獣等対象物をおびき寄せあるいは集め、捕獲するために、
カラス・ハト・ハチ等の動物・鳥・昆虫・生物等対象物が好む、
猛禽類生物や動物・鳥・昆虫・生物等対象物の、
剥製・標本・ぬいぐるみ・模型・絵画・だまし絵等対象物と共に、
陰影や猛禽類の眼や図形や絵・デザインを一緒に、
写真に撮り、
それによって、疑似立体視させ、
鳥獣等対象物をおびき寄せあるいは集め、捕獲する、
平面画像立体視写真・製品・シート・部材。
【請求項４】
請求項３に、
更なる鳥獣等対象物をおびき寄せあるいは集め、捕獲するための、
デザイン・立体視作用効果を加味した、
平面画像立体視写真・製品・シート・部材。
【請求項５】
請求項１又は請求項２に、
音・振動・電気・声等が出る又はその装置を備え、
又はその装置から疑似えさ、殺傷等鳥獣忌避・被害対策、防虫対策対象物に効果のある餌・食物等の対象物を発する、
平面画像立体視写真・製品・シート・部材・装置・機材。
【請求項６】
請求項３又は請求項４に、
鳥獣等対象物をおびき寄せあるいは集め、捕獲するために、
音・振動・電気・声等が出る又はその装置を備え、
又はその装置から疑似えさ、睡眠・満腹・鳥獣等対象物をおびき寄せあるいは集め、捕獲するために効果のある、
餌・食物等の対象物を発する、
平面画像立体視写真・製品・シート・部材・装置・機材。
【請求項７】
請求項１又は請求項２又は請求項５による、
鳥獣忌避・被害対策、防虫対策方法。
【請求項８】
請求項３又は請求項４又は請求項６による、
鳥獣等対象物をおびき寄せあるいは集め、捕獲する方法。
【発明の詳細な説明】
【技術分野】
【０００１】  本発明は、鳥獣被害防止製品及び方法に関する。
【背景技術】
【０００２】  実願昭５１―９７３４３記載のように、板材に狐、いたち等の野兎の天敵の一部又は全部を形取った絵を描いたことを特徴とする野兎駆除具がある。【０００３】  しかし、立体視されない平面画像であるため野兎を恐れる生物等からは本物と判断されにくく、効果が少ない。【０００４】  公開特許公報  昭５６−６８３３３、昭５６−６８３３４記載の蛇案山子を用いて鳥類をおどし防ぐ方法が考えられている。【０００５】  しかし、これは立体物の為、道路上・窓などに平面貼付することができず、しかも、立体視された平面画像を使用したものではない。【０００６】  実願昭５６−１３４６６５記載の猛鳥に模した威嚇体を使った害鳥獣駆除装置が考えられている。【０００７】  しかし、これも立体物の為、道路上・窓などに平面貼付することができず、しかも、立体しされた平面画像を使用したものではない。【０００８】  実願昭５８−１０２０８５記載のワシタカ科の鳥類の側面と同じ形に平板を成型し、その平板の両面にワシタカ科の鳥類の模様を描き、眼の部分に義眼をとりつけた案山子も考えられている。【０００９】  しかしこれも、立体視されない平面画像であるためワシタカ科の鳥類を恐れる生物等からは本物と判断されにくく、効果が少ない。【００１０】  特願昭６３−２９９２５５記載の防除の対象となる鳥類とその天敵となる猛禽類もしくはカラス科の鳥類とを対面させ、その時に発する天敵の威嚇声と対象鳥類の悲鳴を同時に録音し、この音を対象となる鳥類の集合する場所に流すことにより、その場所の鳥害をなくすことを特徴とする有害鳥類の駆除方法も考えられている。【００１１】  これも、猛禽類もしくはカラス科の鳥類の立体物を利用したもので、立体視された平面画像を使用したものではない。【００１２】  実願平８−８７４６記載の猛禽類に似せて作られた模型を風見鶏のように風向きによって動く構造とし、あたかも模型の猛禽類が生きているように風向きによって動く構造とし、あたかも模型や猛禽類が生きているように見せかけるものが考えられている。【００１３】  しかし、これも立体物の為、道路上・窓などに平面貼付することができず、しかも、立体視された平面画像を使用したものではない。【００１４】  特願平８−３５９５７２記載のゴイ鷲その他、鳥が忌避する鳥の模型と疑似音発生装置等からなるもので、ゴイ鷲その他、鳥が忌避する鳥の擬声を発生させるように構成した鳥追い払い装置が考えられている。【００１５】  しかし、これも立体物の為、道路上・窓などに平面貼付することができず、しかも、立体視された平面画像を使用したものではない。【００１６】  特願平１０−２７６５８９記載の各種猛禽類の特徴部分を集約して猛禽類を模した模型の近傍に鳥の死骸に似せて作られた模型を配置し、天敵に対する鳥の防衛本能と、鳥の死骸に対する演出効果によって、鳥の生存本能を刺激して、鳥を寄せ付けない構成の威嚇装置も考えられている。【００１７】  しかし、これも立体物の為、道路上・窓などに平面貼付することができず、しかも、立体視された平面画像を使用したものではない。【００１８】  特願２００１−５０２６７０記載のハトやカラスなどの天敵とされている猛禽類を模した疑似鳥を利用し、ハト等が接近しにくい環境を形成したものがある。【００１９】  しかし、これも立体物の為、道路上・窓などに平面貼付することができず、しかも、立体視された平面画像を使用したものではない。【００２０】  実願２００５−４６３０は群れをなす小鳥の野鳥には天敵である猛禽類の鳥がいる、この猛禽類の鳥型を引き立たせるためにスピーカーが鳴動し野鳥の注意を引きつけ猛禽類の鳥がいることに気付かせるものである。【００２１】  しかし、これも立体物の為、道路上・窓などに平面貼付することができず、しかも、立体視された平面画像を使用したものではない。【００２２】  特願２００６−９１１１５は鳥や獣がレンチキラ―レンズを介して表示部を見た場合に視覚角度の変化によって表示部の動物が動いているように見せて、鳥や獣の接近を抑止できるようにして鳥獣防除装置である。【００２３】  しかし、これはレンチキラ―レンズを利用あるいは介した製品であってレンチキラ―レンズを利用あるいは介さずに立体視された平面画像を使用してものではない。【００２４】  実願２００９−１５２８は忌避対象の害鳥獣が嫌悪する天敵鳥獣の図絵が描かれ、透明な合成樹脂シートから形成された部分と振動を感知することによって断続的に発光しうる発光装置とを備えた鳥獣忌避具である。【００２５】  しかし、これは忌避対象の害鳥獣が嫌悪する天敵鳥獣の図絵は単なる平面図絵であり、立体視された平面画像を使用したものでないため、忌避対象の害鳥獣が嫌悪する効果は薄く、発光装置の忌避作用が大きい。【００２６】  実願２０１２−３４０７は害獣に天敵獣を想起させる形状に造形した擬態部と害獣の接近及び方向を検知する害獣位置検知装置と光、音いずれか又はこれらを組み合わせて発する威嚇装置とこれらに回動作動を与えることで害獣を威嚇し、害獣被害効果を発揮することを考えたものである。【００２７】  しかし、害獣に天敵獣を想起させる形状に造形した擬態部は図からも単なる平面であり、立体視された平面画像を使用したものでなく、これも立体装置の為、道路上・窓などに平面貼付することができない。【００２８】  特願２０１２−２４３８７０は超音波を使った鳥類追払い装置であり、立体視された平面画像を使用したものでない。【００２９】  実願２０１４−３６２は鳥飛来防止カザグルマであり、立体視された平面画像を使用したものでない。【００３０】  特願２０１５−１０６６８０は魚撈用の筌であり、立体視された平面画像を使用したものでない。【００３１】  特願２０１７−１５８３４４は天敵生物を用いた害虫防除方法であり、立体視された平面画像を使用したものでない。【００３２】  特願２０１２−１８９８２２は鳥獣被害防止システムであり、立体視された平面画像を使用したものでない。【００３３】  実願２０１７−５３５５は害獣駆逐装置であり、立体視された平面画像を使用したものでない。【００３４】  特願２０１２−３４４８８はスズメ蜂等ハチ類の巣の模造品によるカラス等鳥類忌避（撃退）装置で、スズメ蜂類の巣の写真でなく、図１のようにスズメ蜂類の巣の模造品を使い、また、図８に代表されるゴミ袋型装置のように内容物（ゴミや果物等）が印刷したスズメ蜂類の巣を膨らます（押し出す）ことで、立体的（模造品的）���果を得るように考案されたものであり、スズメ蜂類の巣の平面画像（印刷物等）がそのまま立体視されたものでなく、立体視された平面画像を使用したものでないし、道路上・窓などに平面貼付することでは効果が発揮できない。【００３５】  鳩公害対策  インターネット検索
ｈｔｔｐ：／／ｗｗｗ．ａｍｔｘ．ｊｐ／ａｍｅｎｉｔｙ  ｂｏｕｈａｔｏ．ｈｔｍｌ
ｈｔｔｐ：／／ｗｗｗ．ｋｋ−ａｎｔｅｃ．ｃｏ．ｊｐ／ｋｎｏｗｌｅｄｇｅ／ｐｅｒｓｏｎ／【００３６】  立体視された平面画像を使用したものでない。【００３７】  鳥よけジェル  インターネット検索
ｈｔｔｐｓ：／／ｗｗｗ．ａｎｊｉｎ−ｇｒｏｕｐ．ｃｏｍ／２００５／０４／１６／ｐｏｓｔ−７２５／【００３８】  立体視された平面画像を使用したものでない。【００３９】  カラス撃退  インターネット検索
ｈｔｔｐｓ：／／ｗｗｗ．ａｍａｚｏｎ．ｃｏ．ｊｐ／ｓ／？ｉｅ＝ＵＴＦ８＆ｋｅｙｗｏｒｄｓ＝％Ｅ３％８２％ＡＢ％Ｅ３％８３％Ａ９％Ｅ３％８２％Ｂ９＋％Ｅ６％９２％８３％Ｅ９％８０％８０＆ｔａｇ＝ｇｏｏｇｈｙｄｒ−２２＆ｉｎｄｅｘ＝ａｐｓ＆ｊｐ−ａｄ−ａｐ＝０＆ｈｖａｄｉｄ＝２６３４０６４５５２３０＆ｈｖｐｏｓ＝１ｔ１＆ｈｖｎｅｔｗ＝ｇ＆ｈｖｒａｎｄ＝４９７１８２８９２８８９０５９５２８７＆ｈｖｐｏｎｅ＝＆ｈｖｐｔｗｏ＝＆ｈｖｑｍｔ＝ｅ＆ｈｖｄｅｖ＝ｃ＆ｈｖｄｖｃｍｄｌ＝＆ｈｖｌｏｃｉｎｔ＝＆ｈｖｌｏｃｐｈｙ＝１００９２５５＆ｈｖｔａｒｇｉｄ＝ｋｗｄ−１９１６２０６２１１３＆ｒｅｆ＝ｐｄ  ｓｌ  ５ｋｋ９ｍ８ｃｆｘｑ  ｅ【００４０】  立体視された平面画像を使用したものでない。【００４１】  鳥獣被害対策  インターネット検索
ｈｔｔｐｓ：／／ｗｗｗ．ｃｈｏｕｊｕｈｉｇａｉ．ｃｏｍ／【００４２】  立体視された平面画像を使用したものでない。【００４３】  天敵ぬいぐるみ  インターネット検索
ｈｔｔｐｓ：／／ｗｗｗ．ｇｏｏｇｌｅ．ｃｏ．ｊｐ／ｓｅａｒｃｈ？ｑ＝％Ｅ５％Ａ４％Ａ９％Ｅ６％９５％Ｂ５％Ｅ３％８１％ＡＣ％Ｅ３％８１％８４％Ｅ３％８１％９０％Ｅ３％８２％８Ｂ％Ｅ３％８１％ＢＦ＆ｒｌｚ＝１Ｃ１ＡＯＨＹ  ｊａＪＰ７０８ＪＰ７０８＆ｔｂｍ＝ｉｓｃｈ＆ｔｂｏ＝ｕ＆ｓｏｕｒｃｅ＝ｕｎｉｖ＆ｓａ＝Ｘ＆ｖｅｄ＝０ａｈＵＫＥｗｉｓｌＰ７ｔｇｓＰｂＡｈＶＬＣｑＹＫＨＲＨｖＢｔＵＱｓＡＱＩＮＱ＆ｂｉｗ＝１０２４＆ｂｉｈ＝６７５【００４４】  立体視された平面画像を使用したものでない。【００４５】  タトゥーシール  インターネット検索
ｈｔｔｐｓ：／／ｗｗｗ．ａｍａｚｏｎ．ｃｏ．ｊｐ／％Ｅ３％８２％ＢＦ％Ｅ３％８３％８８％Ｅ３％８２％Ａ５％Ｅ３％８３％ＢＣ％Ｅ３％８２％Ｂ７％Ｅ３％８３％ＢＣ％Ｅ３％８３％ＡＢ−％Ｅ３％８３％ＡＣ％Ｅ３％８３％８７％Ｅ３％８２％Ａ３％Ｅ３％８３％ＢＣ％Ｅ３％８２％Ｂ９／ｂ？ｉｅ＝ＵＴＦ８＆ｎｏｄｅ＝４８２２４０５１【００４６】  天敵動物・生物あるいはその剥製、ぬいぐるみ、フィギア等を写真に撮った立体視平面画像でなく、一枚一枚描いた絵（作品）であり、さらに、使用方法、目的が違い、鳥獣被害防止製品及び方法に効果があるとは限らない．【００４７】  米国特許出願公開第２０１５／００５６５３８号はホログラムによる立体視平面画像であり、特許文献２８等を利用したものである。【００４８】  この方法・製品を利用して天敵として鳥獣を忌避させることは、すでに日本国内試験で、効果が薄く、永続性もないことが特許文献２８のホログラム、レンズフィルム（立体視）展示企業担当者からいわれ、特開２００７―１１５０４２号公報等を利用して、実物を表現した方法や製品を完成させるのは容易でない断言された。（専門家が容易に出来ない）【００４９】  特開２００７―１１５０４２号公報では、陰影を後から付け加えるため、本願の実物に光があたり陰影ができるのと比べ、人工的であり、立体視性に劣ることは、実施例及び発明の効果等からも明らかである。
【先行技術文献】
【特許文献】
【００５０】
【特許文献１】実願昭５１−９７３４３公報
【特許文献２】公開特許公報  昭５６−６８３３３公報
【特許文献３】公開特許公報  昭５６−６８３３４公報
【特許文献４】実願昭５６−１３４６６５公報
【特許文献５】実願昭５８−１０２０８５公報
【特許文献６】特願昭６３−２９９２５５公報
【特許文献７】実願平８−８７４６公報
【特許文献８】特願平８−３５９５７２公報
【特許文献９】特願平１０−２７６５８９公報
【特許文献１０】特願２００１−５０２６７０公報
【特許文献１１】実願２００５−４６３０公報
【特許文献１２】特願２００６−９１１１５公報
【特許文献１３】実願２００９−１５２８公報
【特許文献１４】実願２０１２−３４０７公報
【特許文献１５】特願２０１２−２４３８７０公報
【特許文献１６】特願２０１５−１０６６８０公報
【特許文献１７】特願２０１７−１５８３４４公報
【特許文献１８】特願２０１２−１８９８２２公報
【特許文献１９】実願２０１７−５３５５公報
【特許文献２０】特願２０１２−３４４８８公報
【特許文献２１】鳩公害対策  インターネット検索  ｈｔｔｐ：／／ｗｗｗ．ａｍｔｘ．ｊｐ／ａｍｅｎｉｔｙ  ｂｏｕｈａｔｏ．ｈｔｍｌ  ｈｔｔｐ：／／ｗｗｗ．ｋｋ−ａｎｔｅｃ．ｃｏ．ｊｐ／ｋｎｏｗｌｅｄｇｅ／ｐｅｒｓｏｎ／
【特許文献２２】鳥よけジェル  インターネット検索  ｈｔｔｐｓ：／／ｗｗｗ．ａｎｊｉｎ−ｇｒｏｕｐ．ｃｏｍ／２００５／０４／１６／ｐｏｓｔ−７２５／
【特許文献２３】鳥獣被害対策  インターネット検索  ｈｔｔｐｓ：／／ｗｗｗ．ｃｈｏｕｊｕｈｉｇａｉ．ｃｏｍ／
【特許文献２４】天敵ぬいぐるみ  インターネット検索  ｈｔｔｐｓ：／／ｗｗｗ．ｇｏｏｇｌｅ．ｃｏ．ｊｐ／ｓｅａｒｃｈ？ｑ＝％Ｅ５％Ａ４％Ａ９％Ｅ６％９５％Ｂ５％Ｅ３％８１％ＡＣ％Ｅ３％８１％８４％Ｅ３％８１％９０％Ｅ３％８２％８Ｂ％Ｅ３％８１％ＢＦ＆ｒｌｚ＝１Ｃ１ＡＯＨＹ  ｊａＪＰ７０８ＪＰ７０８＆ｔｂｍ＝ｉｓｃｈ＆ｔｂｏ＝ｕ＆ｓｏｕｒｃｅ＝ｕｎｉｖ＆ｓａ＝Ｘ＆ｖｅｄ＝０ａｈＵＫＥｗｉｓｌＰ７ｔｇｓＰｂＡｈＶＬＣｑＹＫＨＲＨｖＢｔＵＱｓＡＱＩＮＱ＆ｂｉｗ＝１０２４＆ｂｉｈ＝６７５
【特許文献２５】タトゥーシール  インターネット検索  ｈｔｔｐｓ：／／ｗｗｗ．ａｍａｚｏｎ．ｃｏ．ｊｐ／％Ｅ３％８２％ＢＦ％Ｅ３％８３％８８％Ｅ３％８２％Ａ５％Ｅ３％８３％ＢＣ％Ｅ３％８２％Ｂ７％Ｅ３％８３％ＢＣ％Ｅ３％８３％ＡＢ−％Ｅ３％８３％ＡＣ％Ｅ３％８３％８７％Ｅ３％８２％Ａ３％Ｅ３％８３％ＢＣ％Ｅ３％８２％Ｂ９／ｂ？ｉｅ＝ＵＴＦ８＆ｎｏｄｅ＝４８２２４０５１
【特許文献２６】米国特許出願公開第２０１５／００５６５３８号
【特許文献２７】特開２００７−１１５０４２号公報
【特許文献２８】ホログラム、レンズフィルム（立体視）ネット検索  ｈｔｔｐ：／／ｗｗｗ．ｎｅｔ−ｏｔｅｃ．ｃｏｍ／ｌｅｎｓ／
【特許文献２９】鳥よけ目玉風船  インターネット検索  ｈｔｔｐｓ：／／ｉｔｅｍ．ｒａｋｕｔｅｎ．ｃｏ．ｊｐ／ｈａｉｋａｒａ−ｄｏ／ｈｒ４９４／？ｓｃｉｄ＝ａｆ＿ｐｃ＿ｅｔｃ＆ｓｃ２ｉｄ＝ａｆ＿１１３＿０＿１０００１８６８
【発明の概要】
【発明が解決しようとする課題】
【００５１】  例示した背景技術と違い、道路・壁・ガラス窓・屋外・フロントガラスその他に貼付・設置することで簡単に鳥獣忌避・被害対策、防虫対策ができる。【００５２】  また、道路・壁・ガラス窓・屋外・フロントガラスその他に貼付・設置することで簡単に鳥獣等対象物をおびき寄せあるいは集め、捕獲することができる。
【課題を解決するための手段】
【００５３】上記目的の、鳥獣忌避・被害対策、防虫対策させるために、
カラス・ハト・ハチ等の動物・鳥・昆虫・生物等の、
天敵である猛禽類生物や動物・鳥・昆虫・生物の、
剥製・標本・ぬいぐるみ・模型・絵画・だまし絵等対象物と共に、
陰影や猛禽類の眼や図形や絵・デザインを一緒に、
写真に撮り、
それによって、疑似立体視させ、
鳥獣忌避・被害対策、防虫対策させた
平面画像立体視写真・製品・シート・部材を用いる。【００５４】［００５３］をより疑似立体視・鳥獣忌避・被害対策、防虫対策できるように、更なる猛禽類の眼や忌避させるデザイン・立体視作用効果を加味した、平面画像立体視写真・製品・シート・部材を用いる。【００５５】［００５３］、［００５４］に音・振動・電気・声等が出る又はその装置を備え、
又はその装置から疑似えさ、忌避・殺傷等鳥獣忌避・被害対策、防虫対策対象物に効果のある餌・食物等の対象物を発する、
平面画像立体視写真・製品・シート・部材・装置・機材を用いる。【００５６】  鳥獣等対象物をおびき寄せあるいは集め、捕獲するために、
カラス・ハト・ハチ等の動物・鳥・昆虫・生物等対象物が好む、
猛禽類生物や動物・鳥・昆虫・生物等対象物の、
剥製・標本・ぬいぐるみ・模型・絵画・だまし絵等対象物と共に、
陰影や猛禽類の眼や図形や絵・デザインを一緒に、
写真に撮り、
それによって、疑似立体視させ、
鳥獣等対象物をおびき寄せあるいは集め、捕獲する、
平面画像立体視写真・製品・シート・部材を使う。【００５７】［００５６］をより疑似立体視・鳥獣等対象物をおびき寄せあるいは集め、捕獲するために、
更なる鳥獣等対象物をおびき寄せあるいは集め、捕獲するための、
デザイン・立体視作用効果を加味した、
平面画像立体視写真・製品・シート・部材を使う。【００５８】［００５６］、［００５７］に音・振動・電気・声等が出る又はその装置を備え、又はその装置から疑似えさ、睡眠・満腹・おびき寄せあるいは集め・捕獲する等、
鳥獣等対象物をおびき寄せあるいは集め、捕獲するために効果のある、
餌・食物等の対象物を発する、
平面画像立体視写真・製品・シート・部材・装置・機材を使う。【００５９】［００５３］、［００５４］、［００５５］の鳥獣忌避・被害対策、防虫対策方法。【００６０】［００５６］、［００５７］、［００５８］の鳥獣等対象物をおびき寄せあるいは集め、捕獲するための方法。
【発明の効果】
【００６１】  例えばこの方法によってつくられた猛禽類の立体視平面画像や製品を道路上・マンション及び家屋等ベランダ・駅構内・自動車・樹木等鳥獣忌避・被害対策、防虫対策場所に貼付・設置することで鳥獣忌避・被害対策、防虫対策効果を発揮し、立体物でないためその上を通過しても危険でなく、設置場所の移動も簡単である。【００６２】  例えばこの方法によって鳥獣等対象物をおびき寄せあるいは集め、捕獲する立体視平面画像や製品を道路上・公園及び田畑・山林等の場所に貼付・設置することで鳥獣等対象物をおびき寄せあるいは集め、捕獲する効果を発揮し、立体物でないためその上を通過しても危険でなく、設置場所の移動も簡単である。
【図面の簡単な説明】
【００６３】
【図１】  猛禽類とその陰影や猛禽類の眼や図形や絵・デザインを一緒に撮った写真概略平面図。
【図２】  より疑似立体視できるように、更なる猛禽類の眼や忌避させるデザイン・立体視作用効果を加味した、猛禽類写真立体視平面画像概略平面図。
【発明を実施するための形態】
【００６４】鳥獣忌避・被害対策、防虫対策させるために、
カラス・ハト・ハチ等の動物・鳥・昆虫・生物等の、
天敵である猛禽類生物や動物・鳥・昆虫・生物の、
剥製・標本・ぬいぐるみ・模型・絵画・だまし絵等対象物と共に、
陰影や猛禽類の眼や図形や絵・デザインを一緒に、
写真に撮り、
それによって、疑似立体視させ、
鳥獣忌避・被害対策、防虫対策させた
平面画像立体視写真・製品・シート・部材を使う。
【００６５】より疑似立体視・鳥獣忌避・被害対策、防虫対策できるように、
更なる猛禽類の眼や忌避させるデザイン・立体視作用効果を加味した、
平面画像立体視写真・製品・シート・部材を使う。
【００６６】より鳥獣忌避・被害対策、防虫対策できるように
音・振動・電気・声等が出る又はその装置を備え、
又はその装置から疑似えさ、忌避・殺傷等鳥獣忌避・被害対策、防虫対策対象物に効果のある餌・食物等の対象物を発する、
平面画像立体視写真・製品・シート・部材・装置・機材を使う。
【００６７】鳥獣忌避・被害対策、防虫対策させるために、
カラス・ハト・ハチ等の動物・鳥・昆虫・生物等の、
天敵である猛禽類生物や動物・鳥・昆虫・生物の、
剥製・標本・ぬいぐるみ・模型・絵画・だまし絵等対象物と共に、
陰影や猛禽類の眼や図形や絵・デザインを一緒に、
写真に撮り、
それによって、疑似立体視させ、
鳥獣忌避・被害対策、防虫対策させた方法を使う。
【００６８】［００６７］をより疑似立体視・鳥獣忌避・被害対策、防虫対策できるように、更なる猛禽類の眼や忌避させるデザイン・立体視作用効果を加味した方法を用いる。
【００６９】より鳥獣忌避・被害対策、防虫対策できるように
音・振動・電気・声等が出る又はその装置を備え、
又はその装置から疑似えさ、忌避・殺傷等鳥獣忌避・被害対策、防虫対策対象物に効果のある餌・食物等の対象物を発する方法を用いる。
【００７０】  鳥獣等対象物をおびき寄せあるいは集め、捕獲するために、
カラス・ハト・ハチ等の動物・鳥・昆虫・生物等対象物が好む、
猛禽類生物や動物・鳥・昆虫・生物等対象物の、
剥製・標本・ぬいぐるみ・模型・絵画・だまし絵等対象物と共に、
陰影や猛禽類の眼や図形や絵・デザインを一緒に、
写真に撮り、
それによって、疑似立体視させ、
鳥獣等対象物をおびき寄せあるいは集め、捕獲する方法を用いる。
【００７１】［００７０］をより疑似立体視・鳥獣等対象物をおびき寄せあるいは集め、捕獲するために、更なる鳥獣等対象物をおびき寄せあるいは集め、捕獲するための、デザイン・立体視作用効果を加味した方法を用いる。
【００７２】  より鳥獣等対象物をおびき寄せあるいは集め、捕獲するために、音・振動・電気・声等が出る又はその装置を備え、又はその装置から疑似えさ、睡眠・満腹・おびき寄せあるいは集め・捕獲する等に効果のある、餌・食物等の対象物を発する方法を用いる。
【実施例】
【００７３】図１のように猛禽類剥製と陰影や猛禽類の眼や図形や絵・デザインを一緒に、写真に撮りそれによって、疑似立体視させた写真をカラスやハトの糞公害で困っていた自動車フロントガラスに貼付したところ，６カ月以上カラスやハトの糞が全くなく、しかもガレージや塀・ベランダにもその症状がなく、糞が落ちる電線・屋根等にとまった姿を見かけない。【００７４】図２のように図１に更なる猛禽類の眼や忌避させるデザイン・立体視作用効果を加味した疑似立体視画像を同様に実験した結果も同様の効果をあげた。【００７５】特開２００７―１１５０４２号公報等、陰影を後から付け加えた鷹の平面像を、使って同様の実験をした結果、本願の実物に光があたり陰影ができるのと比べ、人工的であり、立体視性に劣り、本願に比べ効果が薄いことが判明した。【００７６】疑似立体視・鳥獣等対象物をおびき寄せあるいは集め、捕獲するためにカラス図１の立体視画像を公園に設置したところ、カラスが仲間と思い近づいてきた。
【産業上の利用可能性】
【００７７】  ゴミ置き場のカラス対策・駅舎のハト対策・マンションや家屋のカラス・ハト対策・鹿やイノシシなどの農作物被害対策その他ネズミ・蛇・蚊・蝿・ハチ対策等広く利用可能性がある。【００７８】  また、旗・Ｔシャツ等に印刷及び窓や壁に貼付するシートにすることで多くの分野で広く可能性がある。
【符号の説明】
【００７９】  １  猛禽類剥製写真。
２  猛禽類剥製が作る影。
３  猛禽類剥製写真の眼。
４  猛禽類剥製写真のくちばし。
５  猛禽類剥製写真の足。
６  陰影。
７  猛禽類の眼や鳥獣等を忌避させるデザイン
８  追加デザイン
９  立体視強化デザイン
【図１】
2019213516.tif 000003
【図２】
2019213516.tif 000004